(57)【要約】【課題】  常に電源供給端子への接続、開放および短絡を検知できるようにして、確実に電源供給の制御を行う。【解決手段】  接続検知部１０５は、パルス発生部１０６から出力されたパルス信号に基づいて、電源供給端子３００への端末機器２００の接続、電源供給端子３００の開放あるいは短絡を検知する。電源供給端子３００への接続を検知すると、電源供給遮断スイッチ１０３がオンして、端末機器２００に電源が供給される。電流監視部１０２は常に端末機器２００への供給電流を監視する。電源供給端子３００が開放あるいは短絡したとき、電源供給遮断スイッチ１０３がオフして、電源供給を停止する。【選択図】  図１
2006254658.tif 000002
【特許請求の範囲】
【請求項１】
電源供給端子に接続された端末機器に電源供給を行う電源供給装置において、前記電源供給端子に端末機器が接続されたことを検知する接続検知部と、電源供給中に前記電源供給端子の開放および短絡を検知する状態検知部と、前記接続検知部により前記電源供給端子への接続が検知されたとき、電源供給を開始し、前記状態検知部により開放あるいは短絡が検知されたとき、電源供給を停止する制御部とを備えたことを特徴とする電源供給装置。
【請求項２】
接続検知部は、供給電圧より低い電圧のパルス出力に基づいて電源供給端子の接続、開放あるいは短絡のいずれかを検知し、電源供給開始前に、接続を検知したときには、検知信号を出力し、開放あるいは短絡を検知したときには、非検知信号を出力し、制御部は、前記検知信号の入力があると、電源供給を開始することを特徴とする請求項１記載の電源供給装置。
【請求項３】
状態検知部は、電源供給端子の開放あるいは短絡を検知したときには、検知信号を出力し、前記電源供給端子への接続を検知したときには、非検知信号を出力し、制御部は、前記検知信号の入力があると、電源供給を停止することを特徴とする請求項１記載の電源供給装置。
【請求項４】
電源供給端子に電源を供給する電源供給部と、制御部の駆動制御により前記電源供給部と電源供給端子との間の導通、非導通を切り替える電源供給遮断スイッチとを備え、接続検知部は、前記電源供給遮断スイッチと電源供給端子との間に接続され、前記電源供給端子にパルス出力して、接続、開放、短絡のいずれかに応じた電圧変化を検出することを特徴とする請求項２または３記載の電源供給装置。
【請求項５】
状態検知部が、電源供給部と電源供給遮断スイッチとの間に設けられ、前記状態検知部は、前記電源供給端子に流れる電流を監視して、接続、開放、短絡のいずれかを検出することを特徴とする請求項４記載の電源供給装置。
【発明の詳細な説明】
【技術分野】
【０００１】
本発明は、電源供給端子に接続された端末機器に電源供給を行う電源供給装置に関する。
【背景技術】
【０００２】
電源を供給する本体部と、本体部からの電源供給を受けて動作する端末機器とから構成された電源供給装置が特許文献１に記載されている。この電源供給装置は、図６に示すように、本体部１００と本体部１００からの電源供給を受けて動作する端末機器２００で構成される。本体部１００内に、検知電源供給部１５４と、電源切替手段としての電源切替スイッチ１５１と、本体部１００と端末機器２００に設けた接続検知手段としての検出電圧分圧抵抗１５２と、２値変換手段としての２値変換部１５３とを備える。制御部１０６は、接続検知手段としての接続検知スイッチ１５５からの端末接続信号および２値変換部１５３からの入力信号を認識し、電源供給部１０１、検知電源供給部１５４および電源切替スイッチ１５１を制御する機能を有している。
【０００３】
ここに、検知電源供給部１５４は、制御部１０６の指示により、端末機器２００に供給する電源ラインの短絡検知に使用する電源を供給する。
【０００４】
電源切替スイッチ１５１は、制御部１０６の指示により、端末機器２００へ供給する電源として、電源供給部１０１からの電源あるいは検知電源供給部１５４からの電源に切り替える。
【０００５】
検出電圧分圧抵抗１５２は、電源切替スイッチ１５１で検知電源供給部１５４からの電源が選択されたとき、端末機器２００の負荷インピーダンス２０１とともに短絡検知用の電源電圧を分圧し、２値変換部１５３へ出力する。
【０００６】
２値変換部１５３は、分圧された短絡検知用の電圧を２値のデータに変換し、同データを制御部１０６に出力する。制御部１０６は、接続検知スイッチ１５５、２値変換部１５３からの入力信号に基づいて、電源供給部１０１、検知電源供給部１５４および電源切替スイッチ１５１を制御する。
【０００７】
次に、上記した構成を有する電源短絡及び開放検知機能を有する電源供給装置の動作について説明する。まず、本体部１００は、端末機器２００の本体部１００への接続の有無を接続検知スイッチ１５５によって検知する。この接続検知スイッチ１５５としては、一般的にはスイッチ付きコネクタを用いる。そして、端末機器２００をこのコネクタを用いて本体部１００に対して着脱すると、自動的にコネクタについているスイッチが作動し、この作動信号が制御部１０６へ入力される。
【０００８】
制御部１０６は、本体部１００に端末機器２００が接続されていないことを検知しているとき、電源供給部１０１及び検知電源供給部１５４は供給電源のオフを指示するとともに、電源切替スイッチ１５１はコモン端子１５１ｃへのスイッチングを指示する。この結果、端末機器２００が接続されていない時は、外部に出ている電源供給端子に電源は供給されず、短絡しないことになる。
【０００９】
一方、端末機器２００が接続されていることを検知したときは、電源供給部１０１及び検知電源供給部１５４には供給電源のオン（Ｖ１及びＶＴ）を指示するとともに、電源切替スイッチ１５１には検知電源端子１５１ｂへのスイッチングを指示する。これにより、電源ライン３０１は短絡検知用電源に接続される。
【００１０】
この際、端末機器２００の電源系が正常なときの２値変換部１５３へ入力される検出電圧は（ＶＴ・Ｚ１）／（Ｒ５＋Ｚ１）
ただし、ＶＴ＝検知電源電圧（Ｖ１＞ＶＴ）
Ｖ１＝供給電源の電圧
Ｒ５＝検出電圧分圧抵抗１５２
Ｚ１＝負荷インピーダンス２０１
となる。
【００１１】
ところで、この検出電圧はアナログ値であるため、２値変換部１５３において制御用の２値データに変換され、制御部１０６に出力される。そして、制御部１０６では、入力される２値データ化された検出電圧により、端末機器２００の電源系が正常かどうかを判断する。
【００１２】
検出電圧が０（Ｖ）のときは短絡、検出電圧がＶＴ（Ｖ）のときは開放、検出電圧が（ＶＴ・Ｚ１）／（Ｒ５＋Ｚ１）（Ｖ）のときは正常と判断する。短絡のときは、電源供給部１０１及び検知電源供給部１５４には供給電源のオフを指示するとともに、電源切替スイッチ１５１にはコモン端子１５１ｃへのスイッチングを指示する。開放時は、本来、接続検知スイッチ１５５により端末機器２００が接続されていると判断していることに反しており、これも短絡時と同様に、供給電源のオフを指示する。
【００１３】
正常時は、電源供給部１０１及び検知電源供給部１５４には供給電源のオンを指示するとともに、電源切替スイッチ１５１には供給電源端子１５１ａへのスイッチングを指示する。以上のスイッチングにより端末機器２００には正常な電源が供給されることになる。
【００１４】
電源供給状態において、端末機器２００が着脱された場合の動作も同様である。すなわち、まず接続検知スイッチ１５５で端末機器２００の着脱を検知し、取り外しの場合は、供給電源をオフし、装着の場合は、一旦短絡検知シーケンスを行ってから供給電源がオンとされる。
【特許文献１】特開平９−１７２７３４号公報
【発明の開示】
【発明が解決しようとする課題】
【００１５】
上記の電源供給装置では、電源供給中における端末機器の短絡は検知できない。そのため、ヒューズ等の安全保護部品が必要となる。また、接続検知スイッチとして用いられるスイッチ付きコネクタは、アプリケーションによっては利用できない場合があり、端末機器の接続、開放を検知することができなくなる。そして、制御部に接続される制御線の本数が多く、制御が複雑となって、開発負荷が大きくなり、バグの発生も懸念される。ヒューズ等の安全保護部品やスイッチ付きコネクタだけでなく、制御部に高速処理可能な大きなマイコンも必要となるので、非常にコスト高となる。
【００１６】
本発明は、上記に鑑み、常に電源供給端子への接続、開放および短絡を検知できるようにして、確実に電源供給の制御を行える電源供給装置の提供を目的とする。
【課題を解決するための手段】
【００１７】
本発明は、電源供給端子に接続された端末機器に電源供給を行う電源供給装置において、前記電源供給端子に端末機器が接続されたことを検知する接続検知部と、電源供給中に前記電源供給端子の開放および短絡を検知する状態検知部と、前記接続検知部により前記電源供給端子への接続が検知されたとき、電源供給を開始し、前記状態検知部により開放あるいは短絡が検知されたとき、電源供給を停止する制御部とを備えたものである。
【００１８】
接続検知部は、供給電圧より低い電圧のパルス出力に基づいて電源供給端子の接続、開放あるいは短絡のいずれかを検知し、電源供給開始前に、接続を検知したときには、検知信号を出力する。開放あるいは短絡を検知したときには、非検知信号を出力する。制御部は、前記検知信号の入力があると、電源供給を開始する。非検知信号の入力があるときは、電源供給は行わない。
【００１９】
状態検知部は、電源供給端子の開放あるいは短絡を検知したときには、検知信号を出力し、前記電源供給端子への接続を検知したときには、非検知信号を出力する。制御部は、電源供給中に前記検知信号の入力があると、電源供給を停止する。非検知信号が入力しているときは、そのまま電源供給を続行する。
【００２０】
電源供給端子に電源を供給する電源供給部と、制御部の駆動制御により前記電源供給部と電源供給端子との間の導通、非導通を切り替える電源供給遮断スイッチとを備え、接続検知部は、前記電源供給遮断スイッチと電源供給端子との間に接続され、前記電源供給端子にパルス出力して、接続、開放、短絡のいずれかに応じた電圧変化を検出する。
【００２１】
電源供給遮断スイッチのオンにより、電源供給部と電源供給端子とが導通して、電源供給が可能となる。また、オフにより、電源供給部と電源供給端子とが非導通となり、電源供給端子には電源が供給されない。しかし、接続検知部は、電源供給遮断スイッチのオンオフに関係なく、電源供給端子にパルス出力でき、電源供給開始前に電源供給端子の接続、開放あるいは短絡のいずれかを検知できる。
【００２２】
状態検知部は、電源供給部と電源供給遮断スイッチとの間に設けられ、前記状態検知部は、前記電源供給端子に流れる電流を監視して、接続、開放、短絡のいずれかを検出する。すなわち、電源供給遮断スイッチがオンしているとき、状態検知部は、電源供給端子の接続、開放、短絡を検出できる。
【発明の効果】
【００２３】
本発明によると、電源供給開始前だけでなく電源供給中でも、常に電源供給端子の接続、開放、短絡を検知することができ、確実に電源供給制御を行える。そのため、ヒューズ等の安全保護部品やスイッチ付きコネクタが不要となり、安価な電源供給装置を実現できる。
【発明を実施するための最良の形態】
【００２４】
本実施形態の電源供給装置は、図１に示すように、端末機器２００に電源を供給する本体部１００からなり、端末機器２００は、本体部１００からの電源供給を受けて動作する。本体部１００は、端末機器２００を接続するための一対の電源供給端子３００を備え、ここに端末機器２００の電源ケーブルが接続されることにより、電源供給ライン３０１とグランドライン３０２が形成され、本体部１００と端末機器２００とは電気的に接続される。端末機器２００は、負荷インピーダンス２０１を有する。
【００２５】
本体部１００は、電源供給部１０１と、電流監視部１０２と、電源供給遮断スイッチ１０３と、パルス発生部１０４と、接続検知部１０５と、制御部１０６と、内部電源供給部１０７とを備える。
【００２６】
電源供給部１０１は、例えば商用電源を整流平滑して、供給用の直流電源を生成する一般的な電源回路であり、電源供給端子３００を通じて端末機器２００に電源を送出する。内部電源供給部１０７は、電源供給部１０１によって発生した電源から制御部１０６等の内部回路を動作させるための電源を生成する。
【００２７】
電源供給遮断スイッチ１０３は、開閉スイッチであり、電源供給部１０１と電源供給端子３００とを結ぶ電源ライン３０３に介装され、制御部１０６によってオンオフが切り替えられ、電源ライン３０３を導通させたり、非導通にする。
【００２８】
接続検知部１０５は、電源供給端子３００に端末機器２００が接続されているのか、電源供給端子３００が開放されているのかを検知する。パルス発生部１０４は、本来の端末機器２００への供給電圧Ｖ１より低い電圧のパルス信号を適当な周期で生成し、接続検知部１０５に送る。ここで、端末機器２００がＤＣ／ＤＣ電源などを備えている場合に、ＤＣ／ＤＣ電源が動作しない低い電圧に設定すれば、端末機器２００の負荷インピーダンス２０１を抵抗などによって調整し易くなる。そのため、端末機器２００への供給電圧Ｖ１より低い電圧とする。なお、パルス発生部１０４の電源は、内部回路電圧ＶＣＣを利用する。また、制御部１０６の制御により、パルス信号を発生させてもかまわない。
【００２９】
接続検知部１０５は、パルス発生部１０４から出力されたパルス信号を使用して、端末機器２００の接続を検知し、制御部１０６へ検知信号を出力する。また、電源供給端子３００の開放や、不安全となる短絡などを検知した場合は、制御部１０６へ非検知信号を出力する。
【００３０】
電流監視部１０２は、端末機器２００への電源供給中の電流を監視し、電源供給端子３００の状態を検出する状態検知部である。そして、開放あるいは短絡を検知したとき、制御部１０６に検知信号を出力し、接続を検知したときには、制御部１０６に非検知信号を出力する。
【００３１】
制御部１０５は、マイコンからなり、接続検知部１０５や電流監視部１０２からの出力に基づき電源供給端子３００の接続、開放および短絡を判断して、電源供給遮断スイッチ１０３を駆動制御することにより、端末機器２００に対する電源供給を制御する。
【００３２】
接続検知部１０５の具体的な回路構成を図２に示す。接続検知部１０５は、電源供給遮断スイッチ１０３と電源供給端子３００との間において電源ライン３０３に接続され、電源供給端子３００にパルス信号を印加する。接続検知部１０５は、第１パルス電圧分圧抵抗１０８、第２パルス電圧分圧抵抗１０９、逆流防止ダイオード１１０、短絡検知トランジスタ１１１、接続検知トランジスタ１１２、排他的論理和（ＸＯＲ）演算回路１１３を有する。
【００３３】
パルス発生部１０４からのパルス信号は、第１パルス電圧分圧抵抗１０８、第２パルス電圧分圧抵抗１０９、逆流防止ダイオード１１０が直列に接続されたパルス信号ライン３０４から電源ライン３０３を経由して電源供給端子３００に送出される。パルス信号の出力時に、電源供給端子３００の状態に応じた各抵抗１０８、１０９での電圧変化を検出できるように、短絡検知トランジスタ１１１および接続検知トランジスタ１１２がパルス信号ラインに接続される。各トランジスタ１１１、１１２の出力側が排他的論理和演算回路１１３に接続される。
【００３４】
接続検知電圧検出点Ａの電圧ＶＡ（Ｖ）は、
ＶＡ＝（ＶＣＣ−ＶＦ）×｛Ｚ１／（Ｒ１＋Ｒ２＋Ｚ１）}＋ＶＦ
となる。また、短絡検知電圧検出点Ｂの電圧ＶＢ（Ｖ）は、
ＶＢ＝（ＶＣＣ−ＶＦ）×｛（Ｚ１＋Ｒ２）／（Ｒ１＋Ｒ２＋Ｚ１）｝＋ＶＦ 
となる。
ただし、
ＶＣＣ：パルス電圧
ＶＦ：逆流防止ダイオード１１０の順方向電圧
Ｚ１：端末機器２００の負荷インピーダンス２０１
Ｒ１：第１パルス電圧分圧抵抗１０８の抵抗値
Ｒ２：第２パルス電圧分圧抵抗１０９の抵抗値
【００３５】
接続検知部１０５では、これら２つの電圧とＶＣＣとの電位差を利用して、接続検知トランジスタ１１２および短絡検知トランジスタ１１１を駆動させ、排他的論理和演算回路１１３への２つの入力を生成し、２つの入力の排他的論理和が制御部１０６に出力される。
【００３６】
端末機器２００が電源供給端子３００に接続されているときに接続検知トランジスタ１１２を駆動させるためには、ＶＣＣ−ＶＡが接続検知トランジスタ１１２のＶＢＥ（ＯＮ）を超えるように、Ｒ１とＲ２の合計値を決定する。また、電源供給端子３００の短絡時、つまりＺ１が０の場合にＶＣＣ−ＶＢが短絡検知トランジスタ１１１のＶＢＥ（ＯＮ）を超えるように、Ｒ１を決定すると、同時にＲ２も決まる。
【００３７】
短絡検知トランジスタ１１１は、電源供給端子３００が短絡しているときに駆動され、排他的論理和演算回路１１３にＨレベルの信号を出力する。接続検知トランジスタ１１２は、電源供給端子３００に端末機器２００が接続されているとき、および電源供給端子３００が短絡しているときにそれぞれ駆動され、排他的論理和演算回路１１３にＨレベルの信号を出力する。
【００３８】
すなわち、接続検知部１０５のパルス出力がないとき、接続検知トランジスタ１１２も短絡検知トランジスタ１１１も駆動しない。排他的論理和演算回路１１３から制御部１０６への出力はＬレベルとなる。
【００３９】
接続検知部１０５のパルス出力があるとき、端末機器２００が接続されておらず、電源供給端子３００が開放されている場合は、接続検知トランジスタ１１２も短絡検知トランジスタ１１１も駆動しない。排他的論理和演算回路１１３から制御部１０６への出力はＬレベルとなる。
【００４０】
パルス出力があり、端末機器２００が接続されている場合は、接続検知トランジスタ１１２が駆動し、短絡検知トランジスタ１１１は駆動しない。排他的論理和演算回路１１３から制御部１０６への出力はＨレベルとなる。
【００４１】
パルス出力があり、電源供給端子２００が短絡している場合は、接続検知トランジスタ１１２も短絡検知トランジスタ１１１も駆動する。排他的論理和演算回路１１３から制御部１０６への出力はＬレベルとなる。
【００４２】
なお、以上のことは電源供給遮断スイッチ１０３がオフしている場合である。パルス出力があり、電源供給遮断スイッチ１０３がオンしている場合は、接続検知トランジスタ１１２も短絡検知トランジスタ１１１も駆動しない。排他的論理和演算回路１１３から制御部１０６への出力はＬレベルとなる。
【００４３】
したがって、電源供給遮断スイッチ１０３がオフ、すなわち電源供給端子３００に電源が供給されていないとき、接続検知部１０５は、端末機器２００が接続されている場合のみ、パルス出力のタイミングに応じて検知信号を制御部１０６に出力し、その他の場合は非検知信号を出力する。なお、排他的論理和演算回路１１３の出力がＨレベルのときを検知信号、Ｌレベルのときを非検知信号とする。
【００４４】
制御部１０６は、接続検知部１０５からの信号を受け、検知信号であると、電源供給遮断スイッチ１０３をオンして、端末機器２００への電源供給を開始する。非検知信号のときには、電源供給遮断スイッチ１０３をオフにして、電源供給を行わない。このとき、接続検知部１０５の制御部１０６への信号を割り込み入力などに設定すれば、制御部１０６の負荷は少なくすむ。
【００４５】
なお、排他的論理和演算回路１１３として、ワンチップＩＣの代わりに、図３に示すように、トランジスタやダイオードを用いて、演算回路を構成してもよい。
【００４６】
電流監視部１０２の具体的な回路構成を図４に示す。電流監視部１０２は、電源ライン３０３の電源供給部１０１と電源供給遮断スイッチ１０３との間に設けられ、電源供給により電源ライン３０３に流れる電流が電源供給端子３００の状態に応じて変化することを監視する。電流監視部１０２は、第１電流検知抵抗１２０、第２電流検知抵抗１２１、過電流検知トランジスタ１２２、コンパレータ１２３、短絡検知トランジスタ１２４、排他的論理和の否定（ＸＮＯＲ）演算回路１２５を有する。
【００４７】
電源ライン３０３に、第１電流検知抵抗１２０と第２電流検知抵抗１２１が上流側から順に接続されている。電源供給時に電源供給端子３００の状態の変化に応じた各抵抗１２０、１２１での電圧変化を検出できるように、コンパレータ１２３および過電流トランジスタ１２２が電源ライン３０３に接続される。コンパレータ１２３の出力側が排他的論理和の否定演算回路１２５に接続される。過電流トランジスタ１２２の下段に短絡検知トランジスタ１２４が接続され、短絡検知トランジスタ１２４の出力側が排他的論理和の否定演算回路１２５に接続される。
【００４８】
ここで、端末機器２００が接続され、電源供給遮断スイッチ１０３がオンしている場合、電流が消費されているので、第２電流検知抵抗１２１より下流側のＣ点では、第１電流検知抵抗１２０および第２電流検知抵抗１２１によって電圧降下する。その電圧降下をコンパレータ１２３などで検出し、電流消費信号を生成する。この検出の閾値は、端末機器２００の最小消費電流より小さく設定される。第１電流検知抵抗１２０と第２電流検知抵抗１２１との合計抵抗値（Ｒ３＋Ｒ４）は、端末機器２００の最大消費電流時に許容される電圧降下と、端末機器２００の最小消費電流時の電圧降下量の検出精度によって決定される。
【００４９】
また、電源供給遮断スイッチ１０３がオンした状態で電源供給端子３００が短絡した場合は、第１電流検知抵抗１２０と第２電流検知抵抗１２１との間のＤ点にて、第１電流検知抵抗１２０による電圧降下を検出し、過電流検知トランジスタ１２２が駆動され、このトランジスタ１２２のオンにより短絡検知トランジスタ１２４が駆動して、短絡信号を生成する。第１電流検知抵抗１２０では、短絡時にこの抵抗１２０に発生する電圧が過電流検知トランジスタ１２２のＶＢＥ（ＯＮ）を超えるように抵抗値Ｒ３が決定される。
【００５０】
そして、電流消費信号と短絡信号が排他的論理和の否定演算回路１２５に入力して、これらの信号の排他的論理和の否定が制御部１０６に出力される。すなわち、電源供給遮断スイッチ１０３がオフの場合は、電流消費信号および短絡信号は発生せず、排他的論理和の否定演算回路１２５から制御部１０６への出力はＨレベルとなる。電源供給遮断スイッチ１０３がオンのとき、端末機器２００に正常に電源が供給されている場合は、電流消費信号が生成され、短絡信号は発生しない。排他的論理和の否定演算回路１２５から制御部１０６への出力はＬレベルとなる。
【００５１】
電源供給遮断スイッチ１０３がオンのとき、端末機器２００を外して電源供給端子３００が開放となった場合は、電流消費信号および短絡信号は発生せず、排他的論理和の否定演算回路１２５から制御部１０６への出力はＨレベルとなる。電源供給遮断スイッチ１０３がオンのとき、端末機器２００が短絡するといったように電源供給端子３００が短絡した場合は、電流消費信号と短絡信号が生成される。排他的論理和の否定演算回路１２５から制御部１０６への出力はＨレベルとなる。
【００５２】
このように、制御部１０６への出力は、いかなる場合でも、端末機器２００へ正常に電源が供給されている場合のみＬレベルとなる。電源供給遮断スイッチ１０３がオンのとき、制御部１０６への出力がＨレベルとなる場合は、電源供給端子３００の開放かあるいは短絡である。すなわち、電流監視部１０２は、電源供給端子３００の開放あるいは短絡を検知したとき、排他的論理和の否定演算回路１２５の出力がＨレベルとなり、制御部１０６に検知信号を出力する。電源供給端子３００に端末機器２００が正常に接続されているとき、排他的論理和の否定演算回路１２５の出力がＬレベルとなり、制御部１０６に非検知信号を出力する。
【００５３】
制御部１０６は、電流監視部１０２の出力がＨレベルである限り、電源供給遮断スイッチ１０３をオフに制御して、電源供給が不要または禁止とされる。電流監視部１０２の出力がＬレベルであるとき、電源供給遮断スイッチ１０３をオンのままに維持して、電源供給を行う。
【００５４】
なお、端末機器２００の最大消費電流時に第１電流検知抵抗１２０と第２電流検知抵抗１２１に発生する電圧がＶＢＥ（ＯＮ）より小さい場合、これらの抵抗を共通化してもよい。また、図５に示すように、排他的論理和の否定演算回路１２５の代わりに、トランジスタやダイオードを用いて演算回路を構成してもよい。
【００５５】
以上のように、制御部１０６は、電源供給開始前に接続検知部１０５からの検知信号を受信すれば、電源供給遮断スイッチ１０３をオンし、電源供給中に電流監視部１０２からの検知信号を受信すれば、電源供給遮断スイッチ１０３をオフにする。したがって、端末機器２００の接続を検知して電源を供給し、端末機器２００が外されたとき電源を遮断し、電源供給端子３００が短絡されたときには、電源供給の有無にかかわらず電源供給を遮断する機能を有する電源供給装置を実現できる。
【００５６】
なお、本発明は、上記実施形態に限定されるものではなく、本発明の範囲内で上記実施形態に多くの修正および変更を加え得ることは勿論である。
【図面の簡単な説明】
【００５７】
【図１】本発明の電源供給装置の概略構成を示すブロック図
【図２】接続検知部の回路構成図
【図３】他の形態の接続検知部の回路構成図
【図４】電流監視部の回路構成図
【図５】他の形態の電流監視部の回路構成図
【図６】従来の電源供給装置の概略構成を示すブロック図
【符号の説明】
【００５８】
１００    本体部
１０１    電源供給部
１０２    電流監視部
１０３    電源供給遮断スイッチ
１０４    パルス発生部
１０５    接続検知部
１０６    制御部
３００    電源供給端子
【図１】
2006254658.tif 000003
【図２】
2006254658.tif 000004
【図３】
2006254658.tif 000005
【図４】
2006254658.tif 000006
【図５】
2006254658.tif 000007
【図６】
2006254658.tif 000008